(57)【要約】【課題】装着者が墜落して吊られている状態が生じても、上肢や頭部がフルハーネス形安全帯から脱落することを防ぐ。【解決手段】装着者の肩を通り、前記装着者の前面側を下方に延びる肩ベルト１０１と、肩ベルト１０１と一体的に形成されるか、あるいは接続され、かつ装着者の背面側を下方に延びる背ベルト１０３と、少なくとも装着者の大腿部の一部を通る腿ベルトと、装着者の背面側に位置する部分に設けられたＤ環１０７と、背ベルト１０３またはＤ環１０７と、肩ベルト１０１とのうち、少なくとも一方に接続され、装着者の体幹における側部のうち、腋窩より下方かつ肋骨の下端までの間を、装着者の体軸方向と交差するように通された側部ベルト１３０と、を備える。【選択図】図１
2020028461.tif 000002
【特許請求の範囲】
【請求項１】
装着者の肩を通り、前記装着者の前面側を下方に延びる肩ベルトと、
前記肩ベルトと一体的に形成されるか、あるいは接続され、かつ前記装着者の背面側を下方に延びる背ベルトと、
少なくとも装着者の大腿部の一部を通る腿ベルトと、
装着者の背面側に位置する部分に設けられたＤ環と、
前記背ベルトまたは前記Ｄ環と、前記肩ベルトとのうち、少なくとも一方に接続され、装着者の体幹における側部のうち、腋窩より下方かつ肋骨の下端までの間を、装着者の体軸方向と交差する方向に通された側部ベルトと、を備えた
フルハーネス型安全帯。
【請求項２】
前記側部ベルトの一端は、前記肩ベルトに接続された
ことを特徴とする請求項１に記載のフルハーネス型安全帯。
【請求項３】
前記肩ベルトは装着者の右肩を通る右側肩ベルトと、装着者の左肩を通る左側肩ベルトとを有し、
前記側部ベルトは、前記右側肩ベルトと左側肩ベルトの双方に接続された
ことを特徴とする請求項２に記載のフルハーネス型安全帯。
【請求項４】
前記側部ベルトは、一端が前記右側肩ベルトに接続され、装着者の体幹における右側部、体幹の後方、および左側部を通り、他端が左側肩ベルトに接続される
ことを特徴とする請求項３に記載のフルハーネス型安全帯。
【請求項５】
前記側部ベルトは、前記背ベルトに接続された
ことを特徴とする請求項１または２に記載のフルハーネス型安全帯。
【請求項６】
前記背ベルトは装着者の背中右側を通る右側背ベルトと、装着者の背中左側を通る左側背ベルトとを有し、
前記側部ベルトは、前記右側背ベルトと左側背ベルトの双方に接続された
ことを特徴とする請求項５に記載のフルハーネス型安全帯。
【請求項７】
前記側部ベルトは、一端が前記右側背ベルトに接続され、装着者の体幹における右側部、体幹の前方、および左側部を通り、他端が左側背ベルトに接続される
ことを特徴とする請求項３に記載のフルハーネス型安全帯。
【請求項８】
前記背ベルトは前記Ｄ環近傍あるいは前記Ｄ環と装着者の前後方向に重畳した位置に設けられたベルト通過部材を通り、体幹の背面中央側を下方に延びるように構成され、
前記側部ベルトは、当該背ベルトの前記ベルト通過部材より下方位置に接続された
ことを特徴とする請求項５に記載のフルハーネス型安全帯。
【請求項９】
前記側部ベルトは、一端が前記背ベルトに接続され、装着者の体幹における側部を通り、前記他端が前記肩ベルトに接続される
ことを特徴とする請求項５〜９のいずれか１項に記載のフルハーネス型安全帯。
【請求項１０】
前記背ベルトは装着者の背中右側を通る右側背ベルトと、装着者の背中左側を通る左側背ベルトとを有し、
前記肩ベルトは装着者の右肩を通る右側肩ベルトと、装着者の左肩を通る左側肩ベルトとを有し、
前記側部ベルトには、右側部ベルトと左側部ベルトがあり、
前記右側部ベルトは、一端が前記右側肩ベルトに、他端が前記右側背ベルトに接続され、
前記左側部ベルトは、一端が前記左側肩ベルトに、他端が前記左側背ベルトに接続される
ことを特徴とする請求項５に記載のフルハーネス型安全帯。
【請求項１１】
前記肩ベルトは装着者の右肩を通る右側肩ベルトと、装着者の左肩を通る左側肩ベルトとを有し、
前記側部ベルトには、右側部ベルトと左側部ベルトがあり、
前記右側部ベルトは、一端が前記右側肩ベルトに接続され、
前記左側部ベルトは、一端が前記左側肩ベルトに接続される
ことを特徴とする請求項８に記載のフルハーネス型安全帯。
【請求項１２】
前記側部ベルトの一端は、前記Ｄ環に接続された
ことを特徴とする請求項１に記載のフルハーネス型安全帯。
【請求項１３】
前記側部ベルトは、一端が前記Ｄ環に接続され、装着者の体幹における右側部、体幹の前方、および左側部を通り、他端も前記Ｄ環に接続される
ことを特徴とする請求項１２に記載のフルハーネス型安全帯。
【請求項１４】
前記肩ベルトは装着者の右肩を通る右側肩ベルトと、装着者の左肩を通る左側肩ベルトとを有し、
前記側部ベルトには、右側部ベルトと左側部ベルトがあり、
前記右側部ベルトは、一端が前記Ｄ環に、他端が前記右側肩ベルトに接続され、
前記左側部ベルトは、一端が前記Ｄ環に、他端が前記左側肩ベルトに接続される
ことを特徴とする請求項１２に記載のフルハーネス型安全帯。
【請求項１５】
前記側部ベルトは、非伸縮部材により構成されていることを特徴とする請求項１〜１４のいずれか１項に記載のフルハーネス型安全帯。
【請求項１６】
前記側部ベルトは、伸縮率の低い材料により構成されていることを特徴とする請求項１〜１４のいずれか１項に記載のフルハーネス型安全帯。
【請求項１７】
前記側部ベルトは、前記背ベルト、前記肩ベルト、前記腿ベルトのいずれか１つと同じ素材で構成されていることを特徴とする請求項１〜１４のいずれか１項に記載のフルハーネス型安全帯。
【請求項１８】
前記側部ベルトは、装着者の腋窩側における少なくとも一部分に緩衝部が設けられていることを特徴とする請求項１〜１７のいずれか１項に記載のフルハーネス型安全帯。
【請求項１９】
前記側部ベルトは厚み方向において、装着者の腋窩側における少なくとも一部分が、当該腋窩と面するような面状部となっていることを特徴とする請求項１〜１７のいずれか１項に記載のフルハーネス型安全帯。
【請求項２０】
前記側部ベルトの接続は、脱着されない固着によることを特徴とする請求項１〜１９のいずれか１項に記載のフルハーネス型安全帯。
【請求項２１】
前記側部ベルトの固着は、縫着によることを特徴とする請求項２１に記載のフルハーネス型安全帯。
【請求項２２】
前記腿ベルトおよび前記背ベルトにおける装着者の臀部を通る部分のうち、少なくともいずれか一方に伸縮自在な伸縮部材を配設したことを特徴とする請求項１〜２２のいずれか１項に記載のハーネス型安全帯。
【請求項２３】
前記背ベルトの下端と前記腿ベルトを連結し、装着者の臀部を通る連結ベルトを有し、
前記腿ベルトおよび前記連結のうち、少なくともいずれか一方に伸縮自在な伸縮部材を配設したことを特徴とする請求項１〜２２のいずれか１項に記載のハーネス型安全帯。
【発明の詳細な説明】
【技術分野】
【０００１】
本発明は、ハーネス型安全帯の構造に関する。
【背景技術】
【０００２】
一般に、高所で作業を行う場合、使用者には転落防止のための安全帯の着用が義務づけられている。この安全帯には、フルハーネスというタイプのものがあり、肩を通りフルハーネスの装着者の前方を経て腿や腰骨へ至るベルトや、背中上部や肩後方から装着者の後方を通り、腿、臀部あるいは腰骨へ至るベルトや、腿や臀部、大腿部の付け根周りに設けられたベルト、胸を水平に通るベルト等から構成される。
【０００３】
またフルハーネスには背を通るベルトにＤ環という命綱（以下、「ランヤード」と記載する）を接続する構造がある。Ｄ環にランヤードの一端を接続しランヤードの他端を単管パイプやブロックリール、その他建築中の構造物等に接続することにより、装着者が作業現場から墜落したときでも、ランヤード、フルハーネスを介して装着者が吊られ、身体の安全が確保される。
【０００４】
フルハーネスには、さまざまな構成があり、特許文献のように各ベルトの絡まりを防ぐ技術も提案されている。
【先行技術文献】
【特許文献】
【０００５】
【特許文献１】特開２００９−１１２３６８号公報
【発明の概要】
【発明が解決しようとする課題】
【０００６】
高所作業を業務とする者にとって、安全帯は転落防止のためのものであって、転落の事故が起こった場合に、転落の衝撃から身体を保護するものである。したがって、装着者は、安全帯から身体が脱落しないようにベルトをしっかり装着させる必要がある。
【０００７】
本願発明は、上記の点に鑑み発明されたものであって、フルハーネスを装着した装着者が落下時にフルハーネスから身体が脱落することを防止するフルハーネスを提供することを目的とする。
【課題を解決するための手段】
【０００８】
実施形態にかかるフルハーネス型安全帯は、装着者の肩を通り、装着者の前面側を下方に延びる肩ベルトと、肩ベルトと一体的に形成されるか、あるいは接続され、かつ装着者の背面側を下方に延びる背ベルトと、少なくとも装着者の大腿部の一部を通る腿ベルトと、装着者の背面側に位置する部分に設けられたＤ環と、背ベルトまたはＤ環と、肩ベルトとのうち、少なくとも一方に接続され、装着者の体幹における側部のうち、腋窩より下方かつ肋骨の下端までの間を、装着者の体軸方向と交差する方向に通された側部ベルトと、を備える。
なお、側部ベルトの一端は、肩ベルトに接続されてもよい。
また、肩ベルトは装着者の右肩を通る右側肩ベルトと、装着者の左肩を通る左側肩ベルトとを有してもよく、その場合、側部ベルトは、右側肩ベルトと左側肩ベルトの双方に接続されてもよい。
また、側部ベルトは、一端が右側肩ベルトに接続され、装着者の体幹における右側部、体幹の後方、および左側部を通り、他端が左側肩ベルトに接続されてもよい。
上記実施形態に係るフルハーネス形安全帯において、側部ベルトは背ベルトに接続されてもよい。
また、背ベルトは装着者の背中右側を通る右側背ベルトと、装着者の背中左側を通る左側背ベルトとを有してもよく、その場合、側部ベルトは、右側背ベルトと左側背ベルトの双方に接続されてもよい。
また、側部ベルトは、一端が右側背ベルトに接続され、装着者の体幹における右側部、体幹の前方、および左側部を通り、他端が左側背ベルトに接続されてもよい。
また、背ベルトはＤ環近傍あるいはＤ環と装着者の前後方向に重畳した位置に設けられたベルト通過部材を通り、体幹の背面中央側を下方に延びるように構成されてもよく、その場合、側部ベルトは、当該背ベルトのベルト通過部材より下方位置に接続されてもよい。
また、側部ベルトは、一端が背ベルトに接続され、装着者の体幹における側部を通り、他端が肩ベルトに接続されてもよい。
また、背ベルトは装着者の背中右側を通る右側背ベルトと、装着者の背中左側を通る左側背ベルトとを有してもよく、その場合、肩ベルトは装着者の右肩を通る右側肩ベルトと、装着者の左肩を通る左側肩ベルトとを有してもよく、その場合、側部ベルトには、右側部ベルトと左側部ベルトがあり、右側部ベルトは、一端が前記右側肩ベルトに、他端が右側背ベルトに接続され、左側部ベルトは、一端が左側肩ベルトに、他端が左側背ベルトに接続されてもよい。
また、肩ベルトは装着者の右肩を通る右側肩ベルトと、装着者の左肩を通る左側肩ベルトとを有してもよく、その場合、側部ベルトには、右側部ベルトと左側部ベルトがあり、右側部ベルトは、一端が右側肩ベルトに接続され、左側部ベルトは、一端が左側肩ベルトに接続されてもよい。
上記実施形態に係るフルハーネス形安全帯において、側部ベルトの一端は、Ｄ環に接続されてもよい。
また側部ベルトは、一端がＤ環に接続され、装着者の体幹における右側部、体幹の前方、および左側部を通り、他端も前記Ｄ環に接続されてもよい。
また、肩ベルトは装着者の右肩を通る右側肩ベルトと、装着者の左肩を通る左側肩ベルトとを有してもよく、その場合、側部ベルトには、右側部ベルトと左側部ベルトがあり、右側部ベルトは、一端が前記Ｄ環に、他端が右側肩ベルトに接続され、左側部ベルトは、一端が前記Ｄ環に、他端が左側肩ベルトに接続されてもよい。
以上における側部ベルトは、非伸縮部材により構成されていてもよい。
あるいは側部ベルトは、伸縮率の低い材料により構成されていてもよい。
また側部ベルトは、背ベルト、肩ベルト、腿ベルトのいずれか１つと同じ素材で構成されていてもよい。
以上における側部ベルトにおいて、側部ベルトは、装着者の腋窩側における少なくとも一部分に緩衝部が設けられていてもよい。
あるいは側部ベルトは厚み方向において、装着者の腋窩側における少なくとも一部分が、当該腋窩と面するような面状部となっていてもよい。
以上における側部ベルトの接続は、脱着されない固着によってもよい。
また側部ベルトの固着は、縫着によってもよい。
以上におけるハーネス形安全帯において、腿ベルトおよび背ベルトにおける装着者の臀部を通る部分のうち、少なくともいずれか一方に伸縮自在な伸縮部材を配設してもよい。
また、背ベルトの下端と腿ベルトを連結し、装着者の臀部を通る連結ベルトを有してもよく、その場合、腿ベルトおよび連結のうち、少なくともいずれか一方に伸縮自在な伸縮部材を配設してもよい。
【発明の効果】
【０００９】
本発明に係るハーネス型安全帯は、側部ベルトを設けたので、装着者が墜落して吊られている状態が生じても、上肢や頭部がフルハーネス形安全帯から脱落することを防ぐことが可能である。
【図面の簡単な説明】
【００１０】
【図１】第１実施形態に係るフルハーネス形安全帯の一例を示す概略図。
【図２】腿ベルトと連結ベルトの接続構造の変形例を示す概略図。
【図３】腿ベルトと連結ベルトの接続構造の変形例を示す概略図。
【図４】腿ベルトと連結ベルトの接続構造の変形例を示す概略図。
【図５】第１実施形態に係るフルハーネス形安全帯を使用者が着用した状態を示す背面図。
【図６】変形例１に係るフルハーネス形安全帯の一例を示す概略図。
【図７】変形例２に係るフルハーネス形安全帯の一例を示す概略図。
【図８Ａ】第２実施形態に係るフルハーネス形安全帯を使用者が着用した状態を示す背面図。
【図８Ｂ】第２実施形態に係るフルハーネス形安全帯を使用者が着用した状態を示す背面図。
【図９】第３実施形態に係るフルハーネス形安全帯の一例を示す概略図。
【図１０】第３実施形態に係るフルハーネス形安全帯の変形例を示す概略図。
【図１１】第４実施形態に係るフルハーネス形安全帯の一例を示す概略図。
【図１２】腿ベルトの伸縮部材の一例を示す側面図。
【図１３】Ｈ型変形例に係るフルハーネス形安全帯を示す概略背面図。
【図１４】他の変形例に係るフルハーネス形安全帯を示す概略背面図。
【図１５】側部ベルトを示す概略断面図。
【発明を実施するための形態】
【００１１】
［第１実施形態］
［全体構成］
第１実施形態につき図１〜図５を参照して説明する。図１は、ハーネス型安全帯１００の全体構成を概略的に示す図である。図１は、いわゆるＹ型ハーネスと呼ばれるフルハーネスの各形態のうちの一形態を示すものである。しかしながら、本発明の実施形態はこれに限られるものではなく、他のＹ型ハーネスやＸ型、Ｈ型、Ｉ型、サイドクロス型ハーネス等、様々なフルハーネスに適用することが可能である。
【００１２】
図１に示すとおり、ハーネス型安全帯１００は、肩ベルト１０１Ａ、１０１Ｂと、腿ベルト１０２Ａ、１０２Ｂと、背ベルト１０３と、連結ベルト１０４Ａ、１０４Ｂと、Ｄ環１０７と、上部ベルト留め具１０８と、下部ベルト留め具１０９と、胸ベルト１１２Ａ、１１２Ｂと、側部ベルト１３０Ａ、１３０Ｂを備える。
【００１３】
肩ベルト１０１Ａは、所定の長さを有する帯状のベルトであり、一端は腿ベルト１０２Ａ（後述）に接続されており、他端は背ベルト１０３と一体的に形成される。肩ベルト１０１Ａと一体的に形成された背ベルト１０３は、肩ベルト１０１Ａとの境界部分から下方に延び、連結ベルト１０４Ｂと一体的に形成される。なお、ハーネス型安全帯１００の説明において肩ベルト１０１Ａ、背ベルト１０３および連結ベルト１０４Ｂにつき符号を分けて区別しているのは説明の便宜上行っているものである。すなわちそれぞれを個別に製造して一体的に接続するという趣旨で示したものではない。ただし、それぞれを個別に製造してそれぞれ任意の接続手段を用いて接続する構成をとることも可能である。また肩ベルト１０１Ａ、背ベルト１０３および連結ベルト１０４Ｂの合計の長さは、使用者の肩の上面から大腿部中央までの長さと、肩の厚さと、首の下端から臀部の中央までの長さと、臀部中央から大腿部中央までの長さ等を考慮して、使用者の体格ごとに設定される。
【００１４】
腿ベルト１０２Ａは所定の長さ（例えば使用者の大腿部周りの長さより若干長くなるような長さ）を有する帯状のベルトである。図１に示すように腿ベルト１０２Ａにおける所定位置には、連結ベルト１０４Ａの一部（例えば端部）が固定されている。この固定は例えば縫合や接着等による。なお、この固定部分につき、図１において接続部１２３Ａとして例示する。腿ベルト１０２Ａの両端には、それぞれ第１バックル１２４Ａと第２バックル１２５Ａとが設けられ、これらが相互に連結されることにより、使用者の大腿部に巻かれる腿ベルト１０２Ａと使用者の大腿部との保持状態が形成される。第１バックル１２４Ａと第２バックル１２５Ａはこの図１の態様に限られず他の形態をとることも可能である。また腿ベルト１０２Ａにおいて第２バックル１２５Ａより接続部１２３Ａ側の位置には、肩ベルト１０１Ａの端部が接続・固定される。この固定についても例えば縫合や接着が挙げられる。なお、図２〜図４に示すように連結ベルト１０４（１０４Ａ、１０４Ｂ）の端部を輪状に形成し、その輪に腿ベルト１０２（１０２Ａ、１０２Ｂ）を通してもよい。このとき腿ベルト１０２（１０２Ａ、１０２Ｂ）において連結ベルト１０４（１０４Ａ、１０４Ｂ）と交わる部分に隣接する両側に可動式の留め具ＦＡを設け、両者の相対位置が保持されていてもよい。
【００１５】
肩ベルト１０１Ｂは、所定の長さを有する帯状のベルトであり、一端は腿ベルト１０２Ｂ（後述）に接続されており、他端は図示しない他の背ベルトと一体的に形成される。なお、この図示しない他の背ベルトは、図１において上記背ベルト１０３の裏側（図１の紙面上における奥側）に位置し、肩ベルト１０１Ｂとの境界部分から下方に延び、連結ベルト１０４Ａと一体的に形成される。なお、ハーネス型安全帯１００の説明において、肩ベルト１０１Ｂや連結ベルト１０４Ａにつき符号を分けて区別しているのは上記と同様に説明の便宜上行っているものである。また肩ベルト１０１Ｂ、図示しない他の背ベルトおよび連結ベルト１０４Ａの合計の長さは、上記と同様である。
【００１６】
腿ベルト１０２Ｂについては、腿ベルト１０２Ａと同様、所定の長さを有する帯状のベルトであってその長手方向の中央近傍には、連結ベルト１０４Ｂの一部（例えば端部）が固定されている（接続部１２３Ｂ）。また腿ベルト１０２Ａと同様に両端において、それぞれ第１バックル１２４Ｂと第２バックル１２５Ｂとが設けられる。
【００１７】
また、肩ベルト１０１Ａ、１０１Ｂは上部ベルト留め具１０８を介して連結または接続されている。また、肩ベルト１０１Ａおよびそれと一体の背ベルト１０３と、肩ベルト１０１Ｂおよびそれと一体の上記他の背ベルト（不図示）とは、下部ベルト留め具１０９介して連結または接続されている。上部ベルト留め具１０８および下部ベルト留め具１０９は、それぞれベルト通し用の２つの長孔が上下に間隔をおいて形成されている。上部ベルト留め具１０８の２つの長孔には肩ベルト１０１Ａ、１０１Ｂ（下記「第１ベルト」、「第２ベルト」）がそれぞれ通される。同様に下部ベルト留め具１０９の２つの長孔には、背ベルト１０３および他の背ベルト（不図示）が通される。なお、本実施形態において概念上区別される背ベルトと連結ベルトとの境界は、この下部ベルト留め具１０９の位置に対応して定まる（例えば下部ベルト留め具１０９の中央位置等）。
【００１８】
すなわち、肩ベルト１０１Ａ、背ベルト１０３および連結ベルト１０４Ｂを構成する一方のベルト（以下、「第１ベルト」と記載することがある。）と、肩ベルト１０１Ｂ、図示しない他の背ベルトおよび連結ベルト１０４Ａを構成する他方のベルト（以下、「第２ベルト」と記載することがある。）とを含んでハーネス型安全帯１００が構成されているといえる。これら第１ベルトと第２ベルトとは、背ベルト１０３等、使用者の背中の上部と下部に相当する位置において上部ベルト留め具１０８と下部ベルト留め具１０９を介して保持されているため、第１ベルトと第２ベルトとの相対位置が固定される。なお、後述の通り、ハーネス型安全帯１００の第１ベルトが使用者の右半身を保持し、第２ベルトが使用者の左半身を保持する。
【００１９】
なお、各ベルトは可撓性を有する繊維によって形成された幅広の織物を採用するとよい。繊維はポリエステル繊維やナイロン繊維を用いることができる。また、各ベルトは、長さ調整具を備え、ベルトを折り返して押し引きすることにより、長さ調整ができるようにしている。また、一対の肩ベルト１０１Ａ、１０１Ｂは、使用者の肩に当接する部分に肩パッドを備えてもよい。
【００２０】
ハーネス型安全帯１００は、使用者の前面側を両肩から下方に延びる一対の肩ベルト１０１Ａ、１０１Ｂにおいて、使用者の胸部分で連結される胸ベルト１１２Ａ、１１２Ｂを設けることができる。なお、胸ベルトバックルの雌１１３Ａと雄１１３Ｂとにより連結される構成をとることができる。ランヤードに連結するＤ環１０７は、背ベルト１０３の上端（例えば上部ベルト留め具１０８と下部ベルト留め具１０９との間の位置）に取り付けるとよい。図１の例においてＤ環１０７は、上部ベルト留め具１０８の下方に隣接して設けられる。
【００２１】
［側部ベルト］
図１に示すように、ハーネス型安全帯１００は、肩ベルト１０１Ａおよびそれと一体の背ベルト１０３と、肩ベルト１０１Ｂおよびそれと一体の上記他の背ベルト（不図示）の少なくともいずれか一方には、側部ベルト１３０Ａと側部ベルト１３０Ｂが接続されている。なお、以下においては背ベルト１０３のみに各側部ベルトが接続されている例について説明する。
【００２２】
側部ベルト１３０Ａは、使用者の背面側において例えば体軸方向と直交（水平等）するように設けられ、その一端は背ベルト１０３に、他端は肩ベルト１０１Ａに接続される。なお、図１においては胸ベルト１１２Ａと肩ベルト１０１Ａとの接続位置と同じ場所に接続されているが、このような構成に限られない。つまり、肩ベルト１０１Ａにおける胸ベルト１１２Ａと肩ベルト１０１Ａとの接続位置より上方（連結ベルト１０２Ａ側と反対側）に側部ベルト１３０Ａが接続されていてもよい。
【００２３】
この側部ベルト１３０Ａの肩ベルト１０１Ａに対する接続位置は、肩ベルト１０１Ａにおいて、装着者の体幹における側部のうち、腋窩より下方かつ肋骨の下端までの間に対応する位置のうちのいずれかの位置であればよい。さらに、肩ベルト１０１Ａにおける胸ベルト１１２Ａの接続位置から、装着者の頭足方向における腋窩より下側に対応する位置までの間の範囲におけるいずれかの位置を選択することが可能である。この範囲の場合、装着者の頭足方向を基準として、側部ベルト１３０Ａと装着者の腋窩までの距離を短くすることが可能である。装着者が墜落して吊られている状態が生じたとき、直ちに側部ベルト１３０Ａと装着者の腋窩が接触する。
【００２４】
また、側部ベルト１３０Ａの背ベルト１０３に対する接続位置は、背ベルト１０３において、Ｄ環１０７または上部ベルト留め具１０８より下側（下部ベルト留め具１０９側）であって、装着者の頭足方向における肋骨の下端までの間に対応する位置、かつ下部ベルト留め具１０９より上側の範囲のうちのいずれかの位置である。さらに、背ベルト１０３における、側部ベルト１３０Ａおよび肩ベルト１０１Ａの接続位置と水平となる位置から、装着者の頭足方向における腋窩より下側に対応する位置までの間の範囲におけるいずれかの位置を選択することが可能である。この範囲の場合、装着者の頭足方向を基準として、側部ベルト１３０Ａと装着者の腋窩までの距離を短くすることが可能である。装着者が墜落して吊られている状態が生じたとき、直ちに側部ベルト１３０Ａと装着者の腋窩が接触する。
【００２５】
側部ベルト１３０Ｂについては、側部ベルト１３０Ａと背ベルト１０３を挟んで左右対称の構成とすることができる。ただし、必ずしも左右対称である必要はない。側部ベルト１３０Ｂについて具体的には、以下の通りである。
【００２６】
側部ベルト１３０Ｂは、使用者の背面側において例えば体軸方向と直交（水平等）するように設けられ、その一端は背ベルト１０３に、他端は肩ベルト１０１Ｂに接続される。なお、図１においては胸ベルト１１２Ａと肩ベルト１０１Ｂとの接続位置と同じ場所に接続されているが、このような構成に限られない。つまり、肩ベルト１０１Ｂにおける胸ベルト１１２Ｂと肩ベルト１０１Ｂとの接続位置より上方（連結ベルト１０２Ｂ側と反対側）に側部ベルト１３０Ｂが接続されていてもよい。
【００２７】
この側部ベルト１３０Ｂの肩ベルト１０１Ｂに対する接続位置は、肩ベルト１０１Ｂにおいて、装着者の体幹における側部のうち、腋窩より下方かつ肋骨の下端までの間に対応する位置のうちのいずれかの位置であればよい。さらに、肩ベルト１０１Ｂにおける胸ベルト１１２Ｂの接続位置から、装着者の頭足方向における腋窩より下側に対応する位置までの間の範囲におけるいずれかの位置を選択することが可能である。この範囲の場合、装着者の頭足方向を基準として、側部ベルト１３０Ｂと装着者の腋窩までの距離を短くすることが可能である。装着者が墜落して吊られている状態が生じたとき、直ちに側部ベルト１３０Ｂと装着者の腋窩が接触する。
【００２８】
また、側部ベルト１３０Ｂの背ベルト１０３に対する接続位置は、背ベルト１０３において、Ｄ環１０７または上部ベルト留め具１０８より下側（下部ベルト留め具１０９側）であって、装着者の頭足方向における肋骨の下端までの間に対応する位置、かつ下部ベルト留め具１０９より上側の範囲のうちのいずれかの位置である。さらに、背ベルト１０３における、側部ベルト１３０Ｂおよび肩ベルト１０１Ｂの接続位置と水平となる位置から、装着者の頭足方向における腋窩より下側に対応する位置までの間の範囲におけるいずれかの位置を選択することが可能である。この範囲の場合、装着者の頭足方向を基準として、側部ベルト１３０Ｂと装着者の腋窩までの距離を短くすることが可能である。装着者が墜落して吊られている状態が生じたとき、直ちに側部ベルト１３０Ｂと装着者の腋窩が接触する。
【００２９】
側部ベルト１３０Ａおよび側部ベルト１３０Ｂそれぞれと各ベルトの接続は、脱着を前提としない、強固な固定方法をとる。例えば図１に示すような固着方法、すなわち縫着を挙げることができる。あるいは、リベットのような金属材料により、側部ベルト１３０Ａ等と各ベルトとを固着してもよい。
【００３０】
［側部ベルトの構成］
側部ベルトは、伸縮率の低い材料、例えば非伸縮部材により構成されている。例えば背ベルト、肩ベルト、腿ベルト、胸ベルトのうち、少なくともいずれか１つと同じ素材で構成されている。背ベルト、肩ベルト、腿ベルト、胸ベルトが全て同じである場合は、側部ベルトも含めて全て同様に作成される。ただし、厚さや幅は適宜設定することが可能である。
【００３１】
［装着状態］
図５を参照して、フルハーネス形安全帯の装着状態について説明する。図５に示すように、フルハーネス型安全帯１００においては、肩ベルト１０１Ａは装着者の左肩にかかり、肩ベルト１０１Ａと一体の背ベルト１０３は、上部ベルト留め具１０８を介して下方に延び、下部ベルト留め具１０９に至る。また、肩ベルト１０１Ｂは装着者の右肩にかかり、肩ベルト１０１Ｂと一体の背ベルト(不図示)は、背ベルト１０３と装着者の前後方向に重畳するように、上部ベルト留め具１０８を介して下方に延び、下部ベルト留め具１０９に至る。
【００３２】
さらに装着されたフルハーネス形安全帯は、下部ベルト留め具１０９を介して二股に分かれて延びた一対の連結ベルト１０４Ａが、装着者の腰背面の中央位置から装着者の臀部を通り、装着者の左大腿部に巻回された腿ベルト１０２Ａの背面側に接続される。同様に下部ベルト留め具１０９を介して二股に分かれて延びた一対の連結ベルト１０４Ｂが、装着者の腰背面の中央位置から装着者の臀部を通り、装着者の右大腿部に巻回された腿ベルト１０２Ｂの背面側に接続される。なお、連結ベルト１０４Ａは、肩ベルト１０１Ｂおよびそれと一体の上記他の背ベルト（不図示）と一体であっても、別体であってもよい。同様に連結ベルト１０４Ｂは、肩ベルト１０１Ａおよびそれと一体の背ベルト１０３と一体であっても、別体であってもよい。
【００３３】
なお、Ｄ環１０７あるいは上部ベルト留め具１０８は、装着者の左右の肩甲骨から水平方向において実質的に等距離の位置にある。
【００３４】
［装着方法］
装着者は、側部ベルト１３０Ａと肩ベルト１０１Ａとの間に右側上肢を通し、側部ベルト１３０Ｂと肩ベルト１０１Ｂとの間に左側上肢を通す。さらに装着者は、腿ベルト１０２Ａを左大腿部に巻回し、第１バックル１２４Ａと第２バックル１２５Ａとを連結する。同様に腿ベルト１０２Ｂを右大腿部に巻回し、第１バックル１２４Ｂと第２バックル１２５Ｂとを連結する。さらに、使胸ベルトバックルの雌１１３Ａと雄１１３Ｂとを連結する。これにより、装着者の胸回りに胸ベルトと側部ベルトの組み合わせが１周まわるように装着される。
【００３５】
［変形例１］
以上説明した第１実施形態の変形例１について説明する。上記のフルハーネス形安全帯１００は、肩ベルト１０１Ａと側部ベルト１３０Ａが接続され、肩ベルト１０１Ｂと側部ベルト１３０Ｂが接続される。ただし、これに限らず、図６に示すように側部ベルト１３０Ａと側部ベルト１３０Ｂとが一体的に形成されてもよい。あるいはこれらが別体であっても肩ベルトを介さず、側部ベルト１３０Ａと側部ベルト１３０Ｂとが直接的または間接的に接続されてもよい。この変形例１では、両端が背ベルトに固定された一連の側部ベルトが肩ベルト１０１Ａ、肩ベルト１０１Ｂより外側に回されるように構成される。
【００３６】
［変形例２］
また変形例１では、両端が背ベルトに固定された一連の側部ベルトが肩ベルト１０１Ａ、肩ベルト１０１Ｂより外側に回されるように構成されるが、図７に示すように肩ベルト１０１Ａ、肩ベルト１０１Ｂより内側に回されてもよい。図７においては胸ベルトより側部ベルトが装着者の体表面側に位置し、図６においては、側部ベルトより胸ベルトが装着者の体表面側に位置している。ただし、これらは逆になっていてもよい。
【００３７】
［変形例３］
以上説明した第１実施形態の変形例３について説明する。上記のフルハーネス形安全帯１００は、側部ベルトが背ベルトに接続される。ただし、これに限らず、Ｄ環１０７に接続されてもよい。例えば側部ベルトの端部はＤ環１０７を通って折り返され、縫い返されてもよい。変形例１あるいは変形例２についても同様である。
【００３８】
第１実施形態に係るハーネス型安全帯は、側部ベルトを設けたので、装着者が墜落して吊られている状態が生じても、上肢や頭部がフルハーネス形安全帯から脱落することを防ぐことが可能である。
【００３９】
［第２実施形態］
第２実施形態を図８を参照して説明する。図８は、ハーネス型安全帯２００の全体構成を概略的に示す図である。図８は、Ｙ型ハーネスの一形態を示すものである。第２実施形態におけるハーネス型安全帯１００の基本構成は、第１実施形態におけるハーネス型安全帯１００の基本構成と同様である。よって、ハーネス型安全帯１００の基本構成については、説明を割愛することがある。ハーネス型安全帯１００における肩ベルト１０１Ａ、１０１Ｂと、腿ベルト１０２Ａ、１０２Ｂと、背ベルト１０３と、連結ベルト１０４Ａ、１０４Ｂと、Ｄ環１０７と、上部ベルト留め具１０８と、下部ベルト留め具１０９と、胸ベルト１１２Ａ、１１２Ｂと各部の役割、各配置はそれぞれ同様である。
【００４０】
第１実施形態のフルハーネス形安全帯１００は、側部ベルト１３０Ａ、側部ベルト１３０Ｂは、それぞれ背ベルトと接続されている。しかしながら、第２実施形態においては、図８に示すように側部ベルト１３０Ａと側部ベルト１３０Ｂとが一体的に形成されてもよい。あるいはこれらが別体であっても背ベルトを介さず、側部ベルト１３０Ａと側部ベルト１３０Ｂとが直接的または間接的に接続されてもよい。この第２実施形態では、一連の側部ベルトの一端が、肩ベルト１０１Ａに接続され、他端が肩ベルト１０１Ｂに接続される。
【００４１】
さらに第２実施形態においては、図８に示すように胸ベルト１１２Ａと肩ベルト１０１Ａの接続位置と、側部ベルト１３０の接続位置とが同じ位置でなく、装着者の頭足方向においてずれた位置となる。同様に胸ベルト１１２Ｂと肩ベルト１０１Ｂの接続位置と、側部ベルト１３０の接続位置とが同じ位置でなく、装着者の頭足方向においてずれた位置となる。ただし、第２実施形態において、これらのうち少なくとも一方が同じ位置となることを妨げない。
【００４２】
第２実施形態に係るハーネス型安全帯は、側部ベルトを設けたので、装着者が墜落して吊られている状態が生じても、上肢や頭部がフルハーネス形安全帯から脱落することを防ぐことが可能である。
【００４３】
［第３実施形態］
第３実施形態を図９を参照して説明する。図９は、ハーネス型安全帯３００Ｘの全体構成を概略的に示す図である。図９に示すように、ハーネス型安全帯３００Ｘは、肩ベルト３０１ＡＸ、３０１ＢＸと、腿ベルト３０２ＡＸ、３０２ＢＸと、背ベルト３０３１Ｘ、背ベルト３０３２Ｘと、連結ベルト３０４ＡＸ、３０４ＢＸと、Ｄ環と、上部ベルト留め具３０８Ｘと、下部ベルト留め具３０９１Ｘ、３０９２Ｘと、胸ベルト３１２ＡＸ、３１２ＢＸを備える。ハーネス型安全帯３００Ｘにおいて、上記実施形態の共通点は、肩ベルト３０１ＡＸが、背ベルト３０３１Ｘ、連結ベルト３０４ＢＸと一体に形成された１本のベルトであり、同様に肩ベルト３０１ＢＸが、背ベルト３０２１Ｘ、連結ベルト３０４ＡＸと一体に形成された他の１本のベルトであることにある。
【００４４】
異なる点としては、上記実施形態では背ベルト同士が使用者の前後方向において重なっていたが、Ｘ型変形例においては、上部ベルト留め具３０８Ｘを介して左右（使用者の左右方向を基準とする）に分岐していることが挙げられる。また、双方の背ベルトの間を架け渡されるように結ぶ接続ベルトが設けられる。これは、上部ベルト留め具３０８Ｘのやや下方（使用者の頭足方向を基準とする）であって、使用者の胸の略後側に相当する位置に設けられる。
【００４５】
また、肩ベルト３０１ＡＸと背ベルト３０３１Ｘとは、下部ベルト留め具３０９１Ｘによって、相対的位置が保持される。この下部ベルト留め具３０９１Ｘは、上記実施形態と異なり、使用者の腰部右側またはその上もしくは下に隣接する位置に相当する位置に設けられる。同様に肩ベルト３０１ＢＸと背ベルト３０３２Ｘとは、下部ベルト留め具３０９２Ｘによって、相対的位置が保持される。この下部ベルト留め具３０９２Ｘは、使用者の腰部左側またはその上もしくは下に隣接する位置に相当する位置に設けられる。
【００４６】
上記実施形態と同様に本第３実施形態においても側部ベルト３３０Ａ、３３０Ｂが設けられている。この実施形態においても、第１実施形態の変形例１〜３および第２実施形態のような構成の変更が可能である。
【００４７】
さらに本Ｘ型変形例において、ハーネス型安全帯３００Ｘの、連結ベルト３０４ＡＸ、３０４ＢＸには、それぞれ伸縮自在な伸縮部材３４０ＡＸ、３４０ＢＸが設けられている。また、ハーネス型安全帯３００Ｘにおいて、腿ベルト３０２ＡＸ、３０２ＢＸに、伸縮自在な伸縮部材３２０ＡＸ、３２０ＢＸが設けられている。これら伸縮部材の構成、配置位置等は上記実施形態の構成と同様である。よって、各追加実施形態や変形例を、このＸ型変形例に適用することが可能である。なお、Ｘ型変形例としては図１０に示すような腿ベルトがその側方側（使用者の腸骨側に相当する位置）に向かって上方に傾斜しているような形状のものを含む。
【００４８】
第３実施形態に係るハーネス型安全帯は、側部ベルトを設けたので、装着者が墜落して吊られている状態が生じても、上肢や頭部がフルハーネス形安全帯から脱落することを防ぐことが可能である。
【００４９】
［第４実施形態］
第４実施形態を図１１を参照して説明する。図１１は、ハーネス型安全帯２００の全体構成を概略的に示す図である。図１１に示すように、ハーネス型安全帯２００の腿ベルト２０２Ａ、２０２Ｂの背面側には、それぞれ伸縮自在な伸縮部材２２０Ａ、２２０Ｂが設けられている。また、ハーネス型安全帯２００は、装着者の臀部に対応する位置、例えば連結ベルト２０４Ａ、２０４Ｂのいずれかまたはこれら双方に同様の伸縮部材が設けられてもよい。
【００５０】
図１２に示すように伸縮部材２２０Ａ、２２０Ｂは、それぞれ腿部の蛇腹部１４１と、結着部１４２，１４２を備えている。図１２は、実施形態に係る伸縮部材１４０の一例を示す概略側面図である。伸縮部材１４０は、結着部１４２に挟まれるようにして設けられた蛇腹部１４１が蛇腹構造を有しており、長さ方向において伸縮する。
【００５１】
また、蛇腹部１４１は非伸縮糸と伸縮糸を編み込み、さらにこれらを縦糸としつつ、さらに横糸を編み込むことにより帯状体を形成してなる。具体的には、蛇腹状になった伸縮糸を複数並べ、その間に非伸縮糸が編み込まれる。非伸縮糸の一方側にある伸縮糸と他方側にある伸縮糸とは、蛇腹状になった山端と谷端が長さ方向にずれて交互に波うつように配置され、横糸により、交互に非伸縮と固定される。つまり非伸縮糸は、一方側の伸縮糸の谷端と接する（または近づく）位置においては他方側の伸縮糸の谷端と離れており、他方側の伸縮糸の山端と接する（または近づく）位置においては一方側の伸縮糸の山端と離れている。このように、交互に接する位置が間隔を置いて交互になっているため、伸縮糸の伸張限界を非伸縮糸が担うように構成されている。
【００５２】
なお、非伸縮糸はナイロンのほか、強い引張り力を有する糸を選択すればよい。また、弾性糸は、ストレッチナイロンのほか、弾性のある合成樹脂や天然ゴムを用いてもよい。帯状体の横糸は、非伸縮糸と接する一方伸縮糸の谷端、および他方伸縮糸の山端に対応する位置に編み込まれるとよい。伸縮部材が設けられることで、使用者が身体を左右によじった場合や、しゃがんだ場合において、腿ベルトが大腿部に食い込み不快感を与える状況を抑制することができる。また、上記実施形態と同様に本第４実施形態においても側部ベルト２３０Ａ、２３０Ｂが設けられている。この実施形態においても、第１実施形態の変形例１〜３および第２実施形態のような構成の変更が可能である。
【００５３】
第４実施形態に係るハーネス型安全帯は、側部ベルトを設けたので、装着者が墜落して吊られている状態が生じても、上肢や頭部がフルハーネス形安全帯から脱落することを防ぐことが可能である。伸縮部材による脱落の事態の発生に対しても有効に防止することが可能である。
【００５４】
［Ｈ型変形例］
図１３は、Ｈ型変形例に係るハーネスを示す概略背面図である。図１３に示すように、ハーネス型安全帯３００Ｈは、肩ベルト３０１ＡＨ、３０１ＢＨと、腿ベルト３０２ＡＨ、３０２ＢＨと、背ベルト３０３１Ｈ、背ベルト３０３２Ｈと、Ｄ環３０７Ｈと、上部ベルト留め具３０８Ｈと、胸ベルト３１２ＡＨ、３１２ＢＨと、側部ベルト３３０Ａ、３３０Ｂを備える。ハーネス型安全帯３００Ｈにおいて、上記Ｘ型のハーネス型安全帯３００Ｘとの共通点が多い。例えば、肩ベルト３０１ＡＨは、背ベルト３０３１Ｈ、連結ベルト３０４ＢＨと一体に形成された１本のベルトであり、同様に肩ベルト３０１ＢＨが、背ベルト３０２１Ｈ、連結ベルト３０４ＡＨと一体に形成された他の１本のベルトである。
【００５５】
またＸ型のハーネス型安全帯３００Ｘと同様に、Ｈ型変形例においても、上部ベルト留め具３０８Ｈを介して左右（使用者の左右方向を基準とする）に分岐している。また、双方の背ベルトの間をかけ渡されるように結ぶ接続ベルトが設けられる点についても共通である。ただし、背ベルトの分岐する角度が小さいため、Ｘ型のハーネス型安全帯３００Ｘと異なり、背ベルトと肩ベルトが交差せず、Ｘ型のハーネス型安全帯３００Ｘのような下部ベルト留め具が設けられない。また、上記実施形態においても連結ベルトと背ベルトの区別は概念的なものであったが、Ｈ型のハーネス型安全帯３００Ｈにおいては、背ベルトが直接腿ベルトに接続されるため、連結ベルトは定義されない。
【００５６】
本Ｈ型変形例において、ハーネス型安全帯３００Ｈの、背ベルトにおける使用者の臀部から大腿部にかけての位置（上記他の例の連結ベルトに相当する位置）には、それぞれ伸縮自在な伸縮部材３４０ＡＨ、３４０ＢＨが設けられている。また、ハーネス型安全帯３００Ｈにおいて、腿ベルト３０２ＡＨ、３０２ＢＨに、伸縮自在な伸縮部材３２０ＡＨ、３２０ＢＨが設けられている。これら伸縮部材の構成、配置位置等は上記第４実施形態の構成と同様である。また各実施形態や変形例を、このＨ型変形例に適用することが可能である。
【００５７】
また、Ｙ型ハーネスにおいて、背ベルトと肩ベルトが前後方向で逆になっている構成を採用することも可能である。
【００５８】
［その他の変形例］
図１４は、その他の変形例に係るハーネスの概要を示す背面図である。図１４に示すように、ハーネス型安全帯３００αΑは、肩ベルト３０１Ａα、３０１Ｂαと、腿ベルト３０２Ａα、３０２Ｂαと、背ベルト３０３αと、連結ベルト３０４Ａα、３０４Ｂαと、Ｄ環３０７αと、上部ベルト留め具３０８αと、胸ベルト３１２Ａα、３１２Ｂαと、伸縮部材３４０Ａα、３４０Ｂα、３２０Ａα、３２０Ｂαと、側部ベルト３３０Ａ、３３０Ｂを備える。ハーネス型安全帯３００αにおいて、上記実施形態と大きく異なる点は、肩ベルト３０１Ａα、３０１Ｂαそれぞれの下方側の一部と、対応する各連結ベルト３０４Ａα、３０４Ｂαの一部とが接続されていることにある。各連結ベルト３０４Ａα、３０４Ｂαが一体的に形成されつつ、これらは背ベルト３０３αとは一体ではなく分離されており、背ベルト３０３αの下端側で接続されている点も差異点として挙げられる。その他の各部の機能や配置等は同様である。
【００５９】
また、上記実施形態においては、右側部ベルトのみあるいは左側部ベルトのみ設けられている構成であってもよい。また装着者の前方側には水平方向に胸ベルトが設けられているほか、脱落防止(抜け止め)用の水平ベルトが別途設けられていてもよい。また、側部ベルトは水平でなく、水平方向に対して傾斜していてもよい。
【００６０】
側部ベルトは、装着者の腋窩側における少なくとも一部分に緩衝部が設けられているか、あるいは図１５に示すように厚み方向において、装着者の腋窩側における少なくとも一部分が、当該腋窩と面するような面状部となっていてもよい。
【００６１】
本願の上記各実施形態にかかるハーネス型安全帯は、側部ベルトを設けたので、装着者が墜落して吊られている状態が生じても、上肢や頭部がフルハーネス形安全帯から脱落することを防ぐことが可能である。伸縮部材による脱落の事態の発生に対しても有効に防止することが可能である。
【符号の説明】
【００６２】
１００  ハーネス型安全帯
１３０、２３０、３３０  側部ベルト
１０３  背ベルト
１０１  肩ベルト
【図１】
2020028461.tif 000003
【図２】
2020028461.tif 000004
【図３】
2020028461.tif 000005
【図４】
2020028461.tif 000006
【図５】
2020028461.tif 000007
【図６】
2020028461.tif 000008
【図７】
2020028461.tif 000009
【図８Ａ】
2020028461.tif 000010
【図８Ｂ】
2020028461.tif 000011
【図９】
2020028461.tif 000012
【図１０】
2020028461.tif 000013
【図１１】
2020028461.tif 000014
【図１２】
2020028461.tif 000015
【図１３】
2020028461.tif 000016
【図１４】
2020028461.tif 000017
【図１５】
2020028461.tif 000018